(57)【要約】  本発明に係るノートパソコンは、メインボードと、一端が前記メインボードに連結された同軸ケーブルとを含む本体部と、ディスプレイ部であって、背面に設置されて前記同軸ケーブルの他端とその一端が結合されたフレキシブルプリント回路基板を具備し、前記本体部とヒンジ結合されたディスプレイ部とを含むことを特徴とする。【選択図】図４
2019512132.tif 000002
【特許請求の範囲】
【請求項１】
メインボードと、一端が前記メインボードに連結された同軸ケーブルとを含む本体部と、
背面に設置されてその一端が前記同軸ケーブルの他端と結合されたフレキシブルプリント回路基板を具備し、前記本体部とヒンジ結合されたディスプレイ部と
を含むことを特徴とするノートパソコン。
【請求項２】
前記ディスプレイ部は、
ディスプレイと、
前記ディスプレイ下部に位置し、前記同軸ケーブルの他端及び前記フレキシブルプリント回路基板の一端が結合される下部ベゼルと、
前記ディスプレイ上部に位置し、前記フレキシブルプリント回路基板の他端及びアンテナが連結される上部ベゼルと
を含むことを特徴とする請求項１に記載のノートパソコン。
【請求項３】
前記同軸ケーブル及び前記フレキシブルプリント回路基板は、コネクタ又ははんだから選択されるいずれか一つで連結され、
前記フレキシブルプリント回路基板は、「Ｔ」字形状に形成されたことを特徴とする請求項２に記載のノートパソコン。
【請求項４】
前記フレキシブルプリント回路基板の末端で左右方向に連結された第１のアンテナ及び第２のアンテナを更に含むことを特徴とする請求項３に記載のノートパソコン。
【請求項５】
前記フレキシブルプリント回路基板の末端で左右方向に延伸形成された第１のアンテナと及び第２のアンテナを更に含むことを特徴とする請求項３に記載のノートパソコン。
【請求項６】
前記ディスプレイ部背面にはそれぞれ一対の前記第１のアンテナ及び第２のアンテナを備える一対の前記フレキシブルプリント回路基板が設置され、
前記一対の第１のアンテナは、近距離通信信号を送受信し、
前記一対の第２のアンテナは、無線移動通信信号を送受信し、且つ前記一対の第１のアンテナの間に設置されることを特徴とする請求項４又は請求項５に記載のノートパソコン。
【請求項７】
前記フレキシブルプリント回路基板は、
第１の信号ラインを含む第１の基板部と、前記第１の信号ラインと平行する第２の信号ラインを含む第２の基板部が、遮蔽部を介して同一平面上に配置されることを特徴とする請求項１に記載のノートパソコン。
【発明の詳細な説明】
【技術分野】
【０００１】
本発明は、ノートパソコンに関する。
【背景技術】
【０００２】
一般的に、携帯電話、タブレットＰＣ、ノートブック等の携帯用無線端末は、本体部と、ディスプレイ部とを含む。
【０００３】
図１は、携帯用無線端末のうち一般的なノートブックを示した図面であり、図２は、図１のＡ−Ａ断面図である。
【０００４】
図１及び図２に図示されたように、ノートブックは、本体部１と、ディスプレイ部２とを含む。この時、本体部１は、キーボード１a、タッチパネル１ｂ及びメインボード（図示略）等を含み、ディスプレイ部２は、液晶等で構成されるディスプレイ２ａと、このようなディスプレイ２ａ周辺に枠を形成するベゼル２ｂとを含み、本体部１と、ディスプレイ部２は、ヒンジ結合される。
【０００５】
一方、最近、ノートブックデザイン改善のために、ベゼル２ｂの面積を縮小してディスプレイ２ａの面積を広くするための技術開発が行われている。
【０００６】
しかし、ベゼル２ｂには、ワイファイ（Ｗｉ―Ｆｉ）、ＬＴＥ等のＲＦ信号をアンテナからメインボードに伝送する同軸ケーブル３が位置している。これにより、従来のノートブックは、同軸ケーブル３及びこのような同軸ケーブル３を固定するための固定物４等により、ベゼル２ｂの面積を縮小し難い問題点があった。
【０００７】
本発明者は、上述した従来のノートブック等の携帯用無線端末の問題点を認識し、ディスプレイ部２に同軸ケーブル３ではないフレキシブルプリント回路基板を設置することによって、ベゼル２ｂの面積を最小化しながらも、ディスプレイ２ａの面積を最大化できるという点に着目して、ノートブック等の携帯用無線端末に最適化されたフレキシブルプリント回路基板を導き出した。
【０００８】
上記した背景技術として説明された事項は、ただ本発明の背景に対する理解増進のためのものであり、この技術分野における通常の知識を有する者に既に知られている従来技術に該当することを認めることとして受け入れるべきではない。
【発明の概要】
【発明が解決しようとする課題】
【０００９】
本発明の目的は、本体部に同軸ケーブルを適用し、ディスプレイ部の背面にフレキシブルプリント回路基板を適用して、ディスプレイの面積拡大及び薄い厚さを実現し、このため、複数個の信号ラインが並んで平面配列されて薄い厚さを実現しながらも、信号干渉及び信号損失を最小化したフレキシブルプリント回路基板が適用されたノートパソコンを提供することにある。
【課題を解決するための手段】
【００１０】
このような目的を達成するための本発明のノートパソコンは、（１）メインボードと、（２）一端が前記メインボードに連結された同軸ケーブルとを含む本体部と、（３）背面に設置されてその一端が前記同軸ケーブルの他端と結合されたフレキシブルプリント回路基板を具備し、前記本体部とヒンジ結合されたディスプレイ部とを含む。
【００１１】
前記ディスプレイ部は、（１）ディスプレイと、（２）前記ディスプレイ下部に位置し、前記同軸ケーブルの他端及び前記フレキシブルプリント回路基板の一端が結合される下部ベゼルと、（３）前記ディスプレイ上部に位置し、前記フレキシブルプリント回路基板の他端及びアンテナが連結される上部ベゼルとを含むことができる。
【００１２】
前記同軸ケーブルと前記フレキシブルプリント回路基板は、コネクタ、はんだから選択されるいずれか一つで連結され、前記フレキシブルプリント回路基板は、「Ｔ」字形状に形成されることが可能である。
【００１３】
前記フレキシブルプリント回路基板の末端で左右方向に連結された第１のアンテナと及び第２のアンテナを更に含むことができる。
【００１４】
前記フレキシブルプリント回路基板の末端で左右方向に延伸形成された第１のアンテナ及び第２のアンテナを更に含むことができる。
【００１５】
前記ディスプレイ部の背面にはそれぞれ一対の前記第１のアンテナ及び第２のアンテナを備える一対の前記フレキシブルプリント回路基板が設置され、前記一対の第１のアンテナは、近距離通信信号を送受信し、前記一対の第２のアンテナは、無線移動通信信号を送受信し、且つ前記一対の第１のアンテナの間に設置されることが可能である。
【００１６】
前記フレキシブルプリント回路基板は、第１の信号ラインを含む第１の基板部と、前記第１の信号ラインと平行する第２の信号ラインを含む第２の基板部が、遮蔽部を介して同一平面上に配置されることが可能である。
【発明の効果】
【００１７】
本発明によれば、以下のような多様な効果を具現化することができるようになる。
【００１８】
第１に、ベゼルの大きさを最小化することによって、ディスプレイの広いノートパソコンを具現できる利点がある。
【００１９】
第２に、フレキシブルプリント回路基板及び同軸ケーブルを利用して、組み立ての容易なノートパソコンを具現できる利点がある。
【００２０】
第３に、フレキシブルプリント回路基板の長さが最小化されるので、信号損失を最小化できることは勿論、原価を削減できる利点がある。
【００２１】
第４に、アンテナがディスプレイ部上部両側末端に配置されて、安定的に信号を受信できる利点がある。
【００２２】
第５に、ディスプレイ部の厚さを最小化できる利点がある。
【００２３】
第６に、第１の信号ラインと第２の信号ラインの間に発生し得る信号干渉を最小化できる利点がある。
【００２４】
第７に、信号損失を最小化できる利点がある。
【図面の簡単な説明】
【００２５】
【図１】一般的なノートブックを示した図面である。
【図２】図１のＡ−Ａ方向の断面図である。
【図３】本発明のノートパソコンに適用されるフレキシブルプリント回路基板の外観を示した図面である。
【図４】本発明のノートパソコンの一実施例を示した図面である。
【図５】（ａ）は、本発明に係るノートパソコンのディスプレイ拡張効果を示した図面である。（ｂ）は、本発明に係るノートパソコンのディスプレイ拡張効果を示した図面である。
【図６】（ａ）は、本発明のノートパソコンに適用されるフレキシブルプリント回路基板の他の外観を示した図面である。（ｂ）は、本発明に係るノートパソコンのディスプレイ拡張効果を示した図面である。
【図７】本発明の一要部であるフレキシブルプリント回路基板の第１実施例の断面図である。
【図８】本発明の一要部であるフレキシブルプリント回路基板の第２実施例の断面図である。
【図９】本発明の一要部であるフレキシブルプリント回路基板の第３実施例の断面図である。
【図１０】本発明の一要部であるフレキシブルプリント回路基板の第４実施例の断面図である。
【図１１】（ａ）及び（ｂ）は、本発明の一要部であるフレキシブルプリント回路基板のビアホールの相異なる実施例を示した図面である。
【図１２】（ａ）及び（ｂ）は、本発明の一要部であるフレキシブルプリント回路基板のグラウンドホールの相異なる実施例を示した図面である。
【図１３】（ａ）、（ｂ）、（ｃ）及び（ｄ）は、本発明の一要部であるフレキシブルプリント回路基板の第１実施例乃至第４実施例にグラウンドホールを形成した図面である。
【発明を実施するための形態】
【００２６】
本発明の目的、特定の長所及び新規な特徴は、添付された図面と関連される以下の詳細な説明及び実施例からより明白になる。本明細書において、各図面の構成要素に参照番号を付加するにあたって、同一構成要素に限っては、たとえ異なる図面上に示されても可能な限り同一番号を有するようにするということを留意すべきである。なお、第１、第２等の用語は、多様な構成要素を説明するのに使用されることができるが、前記構成要素は、前記用語により限定されるべきではない。前記用語は、一つの構成要素を他の構成要素から区別する目的のみに使用される。なお、本発明を説明するにあたって、関連された公知技術に対する具体的な説明が本発明の要旨を不必要に不明確化し得ると判断される場合、その詳細な説明は、省略する。
【００２７】
以下、添付された図面を参照しながら本発明の実施例を詳細に説明することにする。
【００２８】
図３乃至図５に図示されたように、本発明のノートパソコンは、本体部１００と、ディスプレイ部２００とを含む。
【００２９】
本体部１００は、メインボードＭと、一端がメインボードＭに連結された同軸ケーブル１１０とを含み、ディスプレイ部２００は、フレキシブルプリント回路基板２１０を含む。この時、フレキシブルプリント回路基板２１０は、ディスプレイ部２００の背面に設置され、その一端は、同軸ケーブル１１０の他端と結合される。
【００３０】
本体部と、ディスプレイ部２００は、ヒンジ結合されることが好ましい。この時、ディスプレイ部２００は、ディスプレイ２２０と、下部ベゼル２４０と、上部ベゼル２３０とを含むことができる。
【００３１】
下部ベゼル２４０は、ディスプレイ２２０下部に位置し、このような下部ベゼル２４０で、同軸ケーブル１１０及びフレキシブルプリント回路基板２１０の一端が結合される。
【００３２】
上部ベゼル２３０は、ディスプレイ２２０上部に位置し、このような上部ベゼル２３０で、フレキシブルプリント回路基板２１０の他端及びアンテナ２１２、２１４が連結される。
【００３３】
このように、本発明のノートパソコンは、同軸ケーブル１１０ではないフレキシブルプリント回路基板２１０がディスプレイ部２００の背面に配置される。これにより、本発明のノートパソコンは、ディスプレイ部２００の側面に位置するベゼル領域を最小化し、ディスプレイ２２０領域に拡張できる利点がある。
【００３４】
即ち、フレキシブルプリント回路基板２１０は、同軸ケーブル１１０と違って、固定物が不要で、その厚さを最小化でき、ディスプレイ２２０の背面に設置可能であるため、より広いディスプレイ２２０の具現化は勿論、より薄い厚さのノートパソコンの具現化が可能である。
【００３５】
なお、メインボードＭと、アンテナ２１２、２１４の連結は、同軸ケーブル１１０又はフレキシブルプリント回路基板２１０のうち一つを媒介として連結するのが一般的であるが、本発明に係るノートパソコンは、フレキシブルプリント回路基板２１０及び同軸ケーブル１１０を同時に適用することによって、ヒンジ等の狭小な空間において組み立てが容易であり、フレキシブルプリント回路基板２１０の長さを最小化して信号損失を減少でき、原価を削減できる。
【００３６】
一方、本体部１００に位置する同軸ケーブル１１０と、ディスプレイ２２０の背面に位置するフレキシブルプリント回路基板２１０は、コネクタＣ又ははんだから選択されるいずれか一つで連結される。この時、フレキシブルプリント回路基板２１０は、「Ｔ」字形状に形成することが可能であり、両末端には、第１のアンテナ２１２及び第２のアンテナ２１４が連結されることが可能である。
【００３７】
このようなフレキシブルプリント回路基板２１０は、一対がディスプレイ部２００の背面に設置され、且つ第１のアンテナ２１２及び第２のアンテナ２１４も、それぞれ一対ずつ備えられる。特に、一対の第１のアンテナ２１２は、Ｗｉ―Ｆｉ等の近距離通信信号を送受信し、一対の第２のアンテナ２１４は、３Ｇ、４Ｇ等の無線移動通信信号を送受信することが好ましい。
【００３８】
この時、一対の第１のアンテナ２１２は、上部ベゼル２３０の両末端にそれぞれ設置され、一対の第２のアンテナ２１４は、それぞれ相互に一定間隔離隔されて上述した一対の第１のアンテナ２１２の間に設置されることが可能である。この場合、本発明に係るノートパソコンは、第１のアンテナ２１２と第２のアンテナ２１４の間に発生し得る信号干渉が最小化されて、安定的に信号を受信できる。
【００３９】
なお、第１のアンテナ２１２と第２のアンテナ２１４の信号干渉を最小化するために、フレキシブルプリント回路基板２１０の両末端の長さのうち、第１のアンテナ２１２が連結される末端の長さは、第２のアンテナ２１４と連結される末端の長さより長いことが好ましい。
【００４０】
図６の（ａ）及び（ｂ）に図示されたように、本発明のノートパソコンのフレキシブルプリント回路基板は、その末端で左右方向に延伸形成された第１のアンテナ２１２及び第２のアンテナ２１４を更に含むことができる。これは、フレキシブルプリント回路基板２１０末端に、第１のアンテナ２１２及び第２のアンテナ２１４が一体化されたものであり、これによって、上述した上部ベゼル２３０領域を最小化でき、全体的にディスプレイ２２０の面積が広くなる利点がある。
【００４１】
この時、第１のアンテナ２１２と第２のアンテナ２１４の信号干渉を最小化するために、フレキシブルプリント回路基板２１０を「Γ」形状に形成して、第２のアンテナ２１４が延伸形成された位置を、第１のアンテナ２１２が延伸形成された位置よりもフレキシブルプリント回路基板２１０の垂直方向中心からより遠く配置させることが好ましい。
【００４２】
以下では、本発明のノートパソコンに適用されるフレキシブルプリント回路基板の構成について具体的に説明する。以下で説明されるフレキシブルプリント回路基板は、ノートパソコンの厚さを最小化するためである。
【００４３】
図７は、本発明の一要部であるフレキシブルプリント回路基板の第１実施例の断面図を示したものである。
【００４４】
図７に図示されたように、本発明の一要部であるフレキシブルプリント回路基板は、第１の基板部１０と、第２の基板部２０と、遮蔽部３０とを含む。
【００４５】
第１の基板部１０及び第２の基板部２０は、遮蔽部３０を介して同一平面上に配置される。これにより、第１の基板部１０に形成された第１の信号ラインＴ１と、第２の基板部２０に形成された第２の信号ラインとは、相互に平行に配置される。
【００４６】
このように、第１の基板部１０及び第２の基板部２０が同一平面上に配置されるので、本発明の一要部であるフレキシブルプリント回路基板は、薄い厚さに具現されることができ、第１の信号ラインＴ１及び第２の信号ラインＴ２が遮蔽部３０を介して位置するので、相互信号干渉による信号損失を最小化できる。
【００４７】
本発明の一要部であるフレキシブルプリント回路基板は、第１の誘電体層Ｅ１、第２の誘電体層Ｅ２、一対の第１の側面グラウンドＳ１、一対の第２の側面グラウンドＳ２、第１の中心グラウンドＣ１及び第２の中心グラウンドＣ２を含むことができる。
【００４８】
第１の誘電体層Ｅ１及び第２の誘電体層Ｅ２は、相互に上下方向に一定間隔離隔されて平行に位置し、互いに対応される形状に形成される。
【００４９】
第１の誘電体層Ｅ１の底面には、一対の第１の側面グラウンドＳ１が相互に一定間隔離隔されて積層され、第２の誘電体層Ｅ２の平面には、一対の第２の側面グラウンドＳ２が相互に一定間隔離隔されて積層される。
【００５０】
第１の誘電体層Ｅ１の底面と第２の誘電体層Ｅ２の平面とは、互いに対向し、一対の第１の側面グラウンドＳ１の底面と一対の第２の側面グラウンドＳ２の平面もまた互いに対向し且つ上下方向に相互に一定間隔離隔されて位置する。
【００５１】
第１の中心グラウンドＣ１は、第１の誘電体層Ｅ１の底面に積層され、且つ一対の第１の側面グラウンドＳ１の間に位置し、第２の中心グラウンドＣ２は、第２の誘電体層Ｅ２の平面に積層され、且つ一対の第２の側面グラウンドＳ２の間に位置する。このような第１の中心グラウンドＣ１及び第２の中心グラウンドＣ２は、互いに対応される形状に形成され、上下方向に一定間隔離隔されて相互に平行に位置する。
【００５２】
上述したように、第１の信号ラインＴ１が形成された第１の基板部１０と、第２の信号ラインＴ２が形成された第２の基板部２０は、遮蔽部３０を介して同一平面上に位置する。このとき、第１の中心グラウンドＣ１及び第２の中心グラウンドＣ２が位置する領域を基準として一側領域を第１の基板部１０、他側領域を第２の基板部２０とそれぞれ定義することが可能である。なお、第１の中心グラウンドＣ１及び第２の中心グラウンドＣ２が位置する領域を遮蔽部３０と定義することが可能である。
【００５３】
このとき、第１の中心グラウンドＣ１及び第２の中心グラウンドＣ２は、遮蔽部３０領域は勿論、第１の基板部１０及び第２の基板部２０領域まで延伸形成されることができる。
【００５４】
第１の信号ラインＴ１及び第２の信号ラインＴ２は、上述した第１の中心グラウンドＣ１及び第２の中心グラウンドＣ２を介して位置し、第１の信号ラインＴ１と第２の信号ラインＴ２の間に発生し得る信号干渉を防止できる利点がある。
【００５５】
一方、図７で、第１の信号ラインＴ１が第２の誘電体層Ｅ２の平面に形成され、第２の信号ラインＴ２が第１の誘電体層Ｅ１の底面に形成されることとして図示されたが、第１の信号ラインＴ１及び第２の信号ラインＴ２の配置構造を、設計者の意図に従って多様に変更することができる。
【００５６】
第１の誘電体層Ｅ１の底面及び第２の誘電体層Ｅ２の平面、第１の中心グラウンドＣ１及び第２の中心グラウンドＣ２の互いに対向する面、第１の側面グラウンドＳ１及び第２の側面グラウンドＳ２の互いに対向する面、第１の信号ラインＴ１と第１の誘電体層Ｅ１とが互いに対向する面、第２の信号ラインＴ２と第２の誘電体層Ｅ２とが互いに対向する面は、結合部Ｐを媒介として相互に結合される。
【００５７】
結合部Ｐは、高温のプレス結合時に変形された誘電体層や、ボンディングシート等の多様な接着媒介物であってもよく、このような結合部Ｐの構成を、設計者の意図に従って多様に変形して応用することができる。
【００５８】
図８に図示されたように、本発明の一要部であるフレキシブルプリント回路基板の第２実施例は、結合部Ｐの設置領域以外は、上述した第１実施例と同じである。
【００５９】
第２実施例を説明するにあたって、結合部Ｐを除いた他の構成要素に対する説明は、上述した第１実施例に対する説明で代替し、以下では、第１実施例と相異なる結合部Ｐの設置領域を中心として説明する。
【００６０】
結合部Ｐは、第１の信号ラインＴ１及び第２の信号ラインＴ２が空気層に露出できるように設置される。即ち、第１の側面グラウンドＳ１及び第２の側面グラウンドＳ２が対向する領域、第１の中心グラウンドＣ１及び第２の中心グラウンドＣ２が対向する領域のみが結合部Ｐを媒介として結合される。
【００６１】
第１の誘電体層Ｅ１及び第２の誘電体層Ｅ２が互いに対向する面の間には、空気層が形成されて、第１の信号ラインＴ１及び第２の信号ラインＴ２が誘電率の低い空気層に露出され、キャパシタンスが低くなって信号損失を最小化できる。
【００６２】
一方、本発明の一要部であるフレキシブルプリント回路基板は、上述した第１実施例及び第２実施例のように、２層誘電体層構造を適用することができるが、後述する第３実施例及び第４実施例のように、３層誘電体層構造を適用してもよい。
【００６３】
フレキシブルプリント回路基板の第３実施例及び第４実施例もまた第１の基板部１０及び第２の基板部２０が遮蔽部３０を介して同一平面上に位置するものであり、以下では、その具体的な構成に対して説明することにする。
【００６４】
図９に図示されたように、本発明の一要部であるフレキシブルプリント回路基板の第３実施例は、第１の誘電体層Ｅ１、第２の誘電体層Ｅ２、第３の誘電体層Ｅ３、一対の第１の側面グラウンドＳ１、一対の第２の側面グラウンドＳ２、第１の中心グラウンドＣ１及び第２の中心グラウンドＣ２を含む。
【００６５】
第１の誘電体層Ｅ１を中心として上方に一定間隔離隔されて第２の誘電体層Ｅ２が位置し、下方に一定間隔離隔されて第３の誘電体層Ｅ３が位置し、第１の誘電体層Ｅ１、第２の誘電体層Ｅ２及び第３の誘電体層Ｅ３は、それぞれ相互に平行に互いに対応される形状に形成される。
【００６６】
なお、第１の誘電体層Ｅ１の平面には、一対の第１の側面グラウンドＳ１が相互に一定間隔離隔されて積層され、第１の誘電体層Ｅ１の底面には、一対の第２の側面グラウンドＳ２が相互に一定間隔離隔されて積層される。
【００６７】
第１の側面グラウンドＳ１及び第２の側面グラウンドＳ２は、同一形状及び同一面積に形成されることが可能であり、これを、設計者の意図に従って多様に変形して使用することができる。
【００６８】
第１の中心グラウンドＣ１は、上述した一対の第１の側面グラウンドＳ１の間に位置し、且つ第１の誘電体層Ｅ１の平面に積層され、第２の中心グラウンドＣ２は、上述した一対の第２の側面グラウンドＳ２の間に位置し、且つ第１の誘電体層Ｅ１の底面に積層される。
【００６９】
第１実施例及び第２実施例で説明したように、第３実施例において、第１の中心グラウンドＣ１及び第２の中心グラウンドＣ２が位置する領域を基準として一側領域を第１の基板部１０、他側領域を第２の基板部２０とそれぞれ定義することが可能である。なお、第１の中心グラウンドＣ１及び第２の中心グラウンドＣ２が位置する領域を遮蔽部３０と定義することが可能である。
【００７０】
このとき、第１の中心グラウンドＣ１及び第２の中心グラウンドＣ２を、遮蔽部３０領域は勿論、第１の基板部１０及び第２の基板部２０領域まで延伸形成することができる。
【００７１】
第１の信号ラインＴ１は、第１の誘電体層Ｅ１の一側に位置する第２の側面グラウンドＳ２と第２の中心グラウンドＣ２の間に位置し、第２の信号ラインＴ２は、第１の誘電体層Ｅ１他側に位置する第１の側面グラウンドＳ１と第１の中心グラウンドＣ１の間に位置する。即ち、第１の信号ラインＴ１と第２の信号ラインＴ２の間に発生し得る信号干渉は、第１の中心グラウンドＣ１及び第２の中心グラウンドＣ２により防止されることができる。
【００７２】
なお、３層誘電体層構造を有する場合、フレキシブルプリント回路基板は、その上、下に位置する他部品により発生し得る信号干渉を遮蔽できる。
【００７３】
一方、本発明の一要部であるフレキシブルプリント回路基板の第３実施例によれば、第１の誘電体層Ｅ１と第２の誘電体層Ｅ２とが対向する面、第１の中心グラウンドＣ１と第２の誘電体層Ｅ２とが対向する面、第１の側面グラウンドＳ１と第２の誘電体層Ｅ２とが対向する面、第２の信号ラインＴ２と第２の誘電体層Ｅ２とが対向する面は、それぞれ第１の結合部Ｐ１を媒介として結合される。なお、第１の誘電体層Ｅ１と第３の誘電体層Ｅ３とが対向する面、第２の中心グラウンドＣ２と第３の誘電体層Ｅ３とが対向する面、第２の側面グラウンドＳ２と第３の誘電体層Ｅ３とが対向する面、第１の信号ラインＴ１と第２の誘電体層Ｅ２とが対向する面は、それぞれ第２の結合部Ｐ２を媒介として結合される。
【００７４】
第１の結合部Ｐ１及び第２の結合部Ｐ２は、高温のプレスで結合時に変形された誘電体層や、ボンディングシート等の多様な接着媒介物であってもよく、このような第１の結合部Ｐ１及び第２の結合部Ｐ２の構成を、設計者の意図に従って多様に変形して適用することができる。
【００７５】
図１０に図示されたように、本発明の一要部であるフレキシブルプリント回路基板の第４実施例は、第１の結合部Ｐ１及び第２の結合部Ｐ２の設置領域以外は、上述した第３実施例と同じである。
【００７６】
第４実施例を説明するにあたって、第１の結合部Ｐ１及び第２の結合部Ｐ２を除いた他の構成要素に対する説明は、上述した第３実施例に対する説明で代替し、以下では、第３実施例と相異なる第１の結合部Ｐ１及び第２の結合部Ｐ２の設置領域を中心として説明する。
【００７７】
本発明の一要部であるフレキシブルプリント回路基板の第４実施例によれば、遮蔽部３０を中心として、第１の基板部１０は、遮蔽部３０の一側に位置し、第２の基板部２０は、遮蔽部３０の他側に位置し、遮蔽部３０領域の第１の中心グラウンドＣ１と第２の基板部２０領域の第１の側面グラウンドＳ１の間には、第２の信号ラインＴ２が位置し、第１の基板部１０領域の第２の側面グラウンドＳ２と遮蔽部３０領域の第２の中心グラウンドＣ２の間には、第１の信号ラインＴ１が位置する。
【００７８】
第１の結合部Ｐ１は、第１の誘電体層Ｅ１と第２の誘電体層Ｅ２の間に位置して、第１、２の誘電体層Ｅ１、Ｅ２を結合させ、第２の結合部Ｐ２は、第１の誘電体層Ｅ１と第３の誘電体層Ｅ３の間に位置して、第１、３の誘電体層Ｅ１、Ｅ３を結合させる。
【００７９】
この時、第１の信号ラインＴ１が空気層に露出できるように、第２の結合部Ｐ２は、第１の基板部１０の第１の信号ラインＴ１が設置された領域で除去される。なお、第２の信号ラインＴ２が空気層に露出できるように、第１の結合部Ｐ１は、第２の基板部２０の第２の信号ラインＴ２が設置された領域で除去される。
【００８０】
これをより詳細に説明すると、第１の基板部１０領域で、第１の側面グラウンドＳ１と第２の誘電体層Ｅ２、第１の誘電体層Ｅ１と第２の誘電体層Ｅ２、第１の中心グラウンドＣ１と第２の誘電体層Ｅ２は、第１の結合部Ｐ１を媒介として結合され、遮蔽部３０領域で、第１の中心グラウンドＣ１と第２の誘電体層Ｅ２もまた第１の結合部Ｐ１を媒介として結合される。この時、第２の基板部２０領域では、第１の中心グラウンドＣ１と第２の誘電体層Ｅ２、第１の側面グラウンドＳ１と第２の誘電体層Ｅ２のみが第１の結合部Ｐ１を媒介として結合されて、第２の信号ラインＴ２が空気層に露出される。
【００８１】
なお、第２の基板部２０領域で、第２の側面グラウンドＳ２と第３の誘電体層Ｅ３、第１の誘電体層Ｅ１と第３の誘電体層Ｅ３、第２の中心グラウンドＣ２と第３の誘電体層Ｅ３は、第２の結合部Ｐ２を媒介として結合され、遮蔽部３０領域で、第２の中心グラウンドＣ２と第３の誘電体層Ｅ３もまた第２の結合部Ｐ２を媒介として結合される。この時、第１の基板部１０領域では、第２の中心グラウンドＣ２と第３の誘電体層Ｅ３、第２の側面グラウンドＳ２と第３の誘電体層Ｅ３のみが第２の結合部Ｐ２を媒介として結合されて、第１の信号ラインＴ１が空気層に露出される。
【００８２】
このように、第１の信号ラインＴ１及び第２の信号ラインＴ２が誘電率の低い空気層に露出され、フレキシブルプリント回路基板は、キャパシタンスが低くなって、信号損失を最小化できる。
【００８３】
一方、図７乃至図１０に図示されたように、本発明の一要部であるフレキシブルプリント回路基板は、複数個のビアホールＶ１、Ｖ２、Ｖ３、Ｖ４が形成されることが可能である。
【００８４】
図７及び図８に図示されたように、２層誘電体層構造のフレキシブルプリント回路基板では、第１の誘電体層Ｅ１の平面に第１のグラウンド層Ｇ１が積層され、第２の誘電体層Ｅ２の底面に第２のグラウンド層Ｇ２が積層される。これにより、遮蔽部３０を中心として一側に位置する第１の基板部１０領域には、垂直方向に第１のビアホールＶ１が貫通形成され、遮蔽部３０を中心として他側に位置する第２の基板部２０領域では、垂直方向に第２のビアホールＶ２が貫通形成される。
【００８５】
なお、遮蔽部３０には、遮蔽部３０を垂直方向に貫通し、且つ幅方向に一定間隔離隔されて形成された第３のビアホールＶ３及び第４のビアホールＶ４が形成される。
【００８６】
第１のビアホールＶ１及び第２のビアホールＶ２は、第１のグラウンド層Ｇ１、第１の誘電体層Ｅ１、第１の側面グラウンドＳ１、結合部Ｐ、第２の側面グラウンドＳ２、第２のグラウンド層Ｇ２を貫通することによって、第１の側面グラウンドＳ１、第２の側面グラウンドＳ２、第１のグラウンド層Ｇ１及び第２のグラウンド層Ｇ２を導通させる。
【００８７】
第３のビアホールＶ３及び第４のビアホールＶ４は、第１のグラウンド層Ｇ１、第１の誘電体層Ｅ１、第１の中心グラウンドＣ１、結合部Ｐ、第２の中心グラウンドＣ２、第２の誘電体層Ｅ２、第２のグラウンド層Ｇ２を貫通することによって、第１の中心グラウンドＣ１、第２の中心グラウンドＣ２、第１のグラウンド層Ｇ１及び第２のグラウンド層Ｇ２を導通させる。
【００８８】
図９及び図１０に図示されたように、３層誘電体層構造のフレキシブルプリント回路基板にも、第１のビアホールＶ１、第２のビアホールＶ２、第３のビアホールＶ３及び第４のビアホールＶ４が形成されることが可能である。この時、上述したように、第１のビアホールＶ１は、第１の基板部１０領域、第２のビアホールＶ２は、第２の基板部２０領域、第３のビアホールＶ３及び第４のビアホールＶ４は、遮蔽部３０領域に形成されることが可能である。
【００８９】
第１のビアホールＶ１及び第２のビアホールＶ２は、第１のグラウンド層Ｇ１、第２の誘電体層Ｅ２、第１の結合部Ｐ１、第１の側面グラウンドＳ１、第１の誘電体層Ｅ１、第２の側面グラウンドＳ２、第２の結合部Ｐ２、第３の誘電体層Ｅ３、第２のグラウンド層Ｇ２を貫通することによって、第１の側面グラウンドＳ１、第２の側面グラウンドＳ２、第１のグラウンド層Ｇ１及び第２のグラウンド層Ｇ２を導通させる。
【００９０】
第３のビアホールＶ３及び第４のビアホールＶ４は、第１のグラウンド層Ｇ１、第２の誘電体層Ｅ２、第１の結合部Ｐ１、第１の中心グラウンドＣ１、第１の誘電体層Ｅ１、第２の中心グラウンドＣ２、第２の結合部Ｐ２、第３の誘電体層Ｅ３、第２のグラウンド層Ｇ２を貫通することによって、第１の中心グラウンドＣ１、第２の中心グラウンドＣ２、第１のグラウンド層Ｇ１及び第２のグラウンド層Ｇ２を導通させる。
【００９１】
一方、図１１の（ａ）に図示されたように、第１のビアホールＶ１、第２のビアホールＶ２、第３のビアホールＶ３及び第４のビアホールＶ４は、フレキシブルプリント回路基板の幅方向に同一ライン上に位置することが可能である。なお、図１１の（ｂ）に図示されたように、第１のビアホールＶ１及び第３のビアホールＶ３は、幅方向に同一な第１のラインＬ１上に位置し、第２のビアホールＶ２及び第４のビアホールＶ４は、幅方向に同一な第２のラインＬ２上に位置し、且つ第１のラインＬ１及び第２のラインＬ２は、互いに入れ違いに形成されることが可能である。
【００９２】
このように、複数個のビアホールＶ１、Ｖ２、Ｖ３、Ｖ４を形成する場合、第１の中心グラウンドＣ１及び第２の中心グラウンドＣ２の遮蔽効果を改善できる。これにより、複数個のビアホールＶ１、Ｖ２、Ｖ３、Ｖ４を交差形成する場合、フレキシブルプリント回路基板は、遮蔽部３０に位置する第３のビアホールＶ３と第４のビアホールＶ４の間の間隔を狭めることができるため、遮蔽効果を極大化できる利点がある。
【００９３】
一方、図１２の（ａ）に図示されたように、第１の信号ラインＴ１及び第２の信号ラインＴ２が相異なる層に形成されたレキシブルプリント回路基板で、上下方向に第１の信号ラインＴ１及び第２の信号ラインＴ２に近接した位置に存在する第１のグラウンド層Ｇ１又は第２のグラウンド層Ｇ２には、四角形状のグラウンドホールＨが形成されることが好ましい。
【００９４】
図１２の（ｂ）に図示されたように、第１の信号ラインＴ１又は第２の信号ラインＴ２に近接した位置に存在する第１のグラウンド層Ｇ１又は第２のグラウンド層Ｇ２には、四角形状のグラウンドホールＨを形成し、相対的に遠距離にある第１のグラウンド層Ｇ１又は第２のグラウンド層Ｇ２には、円形のグラウンドホールＨを形成することが好ましい。この場合、フレキシブルプリント回路基板は、第１の信号ラインＴ１及び第２の信号ラインＴ２の面積が増加して、信号損失を最小化できる。
【００９５】
図１３の（ａ）乃至図１３の（ｄ）は、本発明の一要部であるフレキシブルプリント回路基板の第１実施例乃至第４実施例にグラウンドホールＨを形成した図面である。
【００９６】
図１３の（ａ）及び図１３の（ｂ）に図示されたように、本発明の一要部であるフレキシブルプリント回路基板の第１実施例及び第２実施例にグラウンドホールＨを形成する場合、第１の基板部１０領域で、第１の信号ラインＴ１と近距離に位置する第２のグラウンド層Ｇ２には、四角形状のグラウンドホールＨが形成され、第１の信号ラインＴ１と遠距離に位置する第１のグラウンド層Ｇ１には、円形状のグラウンドホールＨが形成され、第２の基板部２０領域で、第２の信号ラインＴ２と近距離に位置する第１のグラウンド層Ｇ１には、四角形状のグラウンドホールＨが形成され、第２の信号ラインＴ２と遠距離に位置する第２のグラウンド層Ｅ２には、円形状のグラウンドホールＨが形成される。
【００９７】
図１３の（ｃ）及び図１３の（ｄ）に図示されたように、本発明の一要部であるフレキシブルプリント回路基板の第３実施例及び第４実施例にグラウンドホールＨを形成する場合、第１の基板部１０領域で、第１の信号ラインＴ１と近距離に位置する第２のグラウンド層Ｇ２には、四角形状のグラウンドホールＨが形成され、第１の信号ラインＴ１と遠距離に位置する第１のグラウンド層Ｇ１には、円形状のグラウンドホールＨが形成され、第２の基板部２０領域で、第２の信号ラインＴ２と近距離に位置する第１のグラウンド層Ｇ１には、四角形状のグラウンドホールＨが形成され、第２の信号ラインＴ２と遠距離に位置する第２のグラウンド層Ｅ２には、円形状のグラウンドホールＨが形成される。
【００９８】
以上、本発明を具体的な実施例を通じて詳細に説明したが、これは、本発明を具体的に説明するためのものであり、本発明に係るノートパソコンを限定するものではなく、本発明の技術的思想内で当該分野における通常の知識を有する者によりその変形又は改良を行うことが可能であることは明白である。
【００９９】
本発明の単純な変形乃至変更は、いずれも本発明の領域に属するものであり、本発明の具体的な保護範囲は、添付された特許請求範囲により明らかになる。
【０１００】
本発明は、本体部に同軸ケーブルを適用し、ディスプレイ部背面にフレキシブルプリント回路基板を適用してディスプレイ面積拡大及び薄い厚さを実現したノートパソコンを提供するものである。本発明は、特に、複数個の信号ラインが並んで平面配列されて薄い厚さを実現しながらも、信号干渉及び信号損失を最小化したフレキシブルプリント回路基板が適用されたノートパソコンを提供するものであり、産業上利用可能性がある。
【符号の説明】
【０１０１】
１００  本体部
１１０  同軸ケーブル
２００  ディスプレイ部
２１０  フレキシブルプリント回路基板
２１２  第１のアンテナ
２１４  第２のアンテナ
２２０  ディスプレイ
２３０  上部ベゼル
２４０  下部ベゼル
１０  第１の基板部
２０  第２の基板部
３０  遮蔽部
Ｅ１  第１の誘電体層
Ｅ２  第２の誘電体層
Ｅ３  第３の誘電体層
Ｇ１  第１のグラウンド層
Ｇ２  第２のグラウンド層
Ｓ１  第１の側面グラウンド
Ｓ２  第２の側面グラウンド
Ｃ１  第１の中心グラウンド
Ｃ２  第２の中心グラウンド
Ｔ１  第１の信号ライン
Ｔ２  第２の信号ライン
Ｐ  結合部
Ｐ１  第１の結合部
Ｐ２  第２の結合部
Ｖ１  第１のビアホール
Ｖ２  第２のビアホール
Ｖ３  第３のビアホール
Ｖ４  第４のビアホール
Ｌ１  第１のライン
Ｌ２  第２のライン
Ｈ  グラウンドホール
Ｃ  コネクタ
Ｍ  メインボード
【図１】
2019512132.tif 000003
【図２】
2019512132.tif 000004
【図３】
2019512132.tif 000005
【図４】
2019512132.tif 000006
【図５】
2019512132.tif 000007
【図６】
2019512132.tif 000008
【図７】
2019512132.tif 000009
【図８】
2019512132.tif 000010
【図９】
2019512132.tif 000011
【図１０】
2019512132.tif 000012
【図１１】
2019512132.tif 000013
【図１２】
2019512132.tif 000014
【図１３】
2019512132.tif 000015
【手続補正書】
【提出日】平成30年8月24日(2018.8.24)
【手続補正１】
【補正対象書類名】明細書
【補正対象項目名】全文
【補正方法】変更
【補正の内容】
【発明の詳細な説明】
【技術分野】
【０００１】
本発明は、ノートパソコンに関する。
【背景技術】
【０００２】
一般的に、携帯電話、タブレットＰＣ、ノートブック等の携帯用無線端末は、本体部と、ディスプレイ部とを含む。
【０００３】
図１は、携帯用無線端末のうち一般的なノートブックを示した図面であり、図２は、図１のＡ−Ａ断面図である。
【０００４】
図１及び図２に図示されたように、ノートブックは、本体部１と、ディスプレイ部２とを含む。この時、本体部１は、キーボード１a、タッチパネル１ｂ及びメインボード（図示略）等を含み、ディスプレイ部２は、液晶等で構成されるディスプレイ２ａと、このようなディスプレイ２ａ周辺に枠を形成するベゼル２ｂとを含み、本体部１と、ディスプレイ部２は、ヒンジ結合される。
【０００５】
一方、最近、ノートブックデザイン改善のために、ベゼル２ｂの面積を縮小してディスプレイ２ａの面積を広くするための技術開発が行われている。
【０００６】
しかし、ベゼル２ｂには、ワイファイ（Ｗｉ―Ｆｉ）、ＬＴＥ等のＲＦ信号をアンテナからメインボードに伝送する同軸ケーブル３が位置している。これにより、従来のノートブックは、同軸ケーブル３及びこのような同軸ケーブル３を固定するための固定物４等により、ベゼル２ｂの面積を縮小し難い問題点があった。
【０００７】
本発明者は、上述した従来のノートブック等の携帯用無線端末の問題点を認識し、ディスプレイ部２に同軸ケーブル３ではないフレキシブルプリント回路基板を設置することによって、ベゼル２ｂの面積を最小化しながらも、ディスプレイ２ａの面積を最大化できるという点に着目して、ノートブック等の携帯用無線端末に最適化されたフレキシブルプリント回路基板を導き出した。
【０００８】
上記した背景技術として説明された事項は、ただ本発明の背景に対する理解増進のためのものであり、この技術分野における通常の知識を有する者に既に知られている従来技術に該当することを認めることとして受け入れるべきではない。
【発明の概要】
【発明が解決しようとする課題】
【０００９】
本発明の目的は、本体部に同軸ケーブルを適用し、ディスプレイ部の背面にフレキシブルプリント回路基板を適用して、ディスプレイの面積拡大及び薄い厚さを実現し、このため、複数個の信号ラインが並んで平面配列されて薄い厚さを実現しながらも、信号干渉及び信号損失を最小化したフレキシブルプリント回路基板が適用されたノートパソコンを提供することにある。
【課題を解決するための手段】
【００１０】
このような目的を達成するための本発明のノートパソコンは、メインボードと、一端が前記メインボードに連結された同軸ケーブルとを含む本体部と、背面に設置されてその一端が前記同軸ケーブルの他端と結合されたフレキシブルプリント回路基板を具備し、前記本体部とヒンジ結合されたディスプレイ部とを含む。
【００１１】
前記ディスプレイ部は、ディスプレイと、前記ディスプレイ下部に位置し、前記同軸ケーブルの他端及び前記フレキシブルプリント回路基板の一端が結合される下部ベゼルと、前記ディスプレイ上部に位置し、前記フレキシブルプリント回路基板の他端及びアンテナが連結される上部ベゼルとを含むことができる。
【００１２】
前記同軸ケーブルと前記フレキシブルプリント回路基板は、コネクタ、はんだから選択されるいずれか一つで連結され、前記フレキシブルプリント回路基板は、「Ｔ」字形状に形成されることが可能である。
【００１３】
前記フレキシブルプリント回路基板の末端で左右方向に連結された第１のアンテナと及び第２のアンテナを更に含むことができる。
【００１４】
前記フレキシブルプリント回路基板の末端で左右方向に延伸形成された第１のアンテナ及び第２のアンテナを更に含むことができる。
【００１５】
前記ディスプレイ部の背面にはそれぞれ一対の前記第１のアンテナ及び第２のアンテナを備える一対の前記フレキシブルプリント回路基板が設置され、前記一対の第１のアンテナは、近距離通信信号を送受信し、前記一対の第２のアンテナは、無線移動通信信号を送受信し、且つ前記一対の第１のアンテナの間に設置されることが可能である。
【００１６】
前記フレキシブルプリント回路基板は、第１の信号ラインを含む第１の基板部と、前記第１の信号ラインと平行する第２の信号ラインを含む第２の基板部が、遮蔽部を介して同一平面上に配置されることが可能である。
【発明の効果】
【００１７】
本発明によれば、以下のような多様な効果を具現化することができるようになる。
【００１８】
第１に、ベゼルの大きさを最小化することによって、ディスプレイの広いノートパソコンを具現できる利点がある。
【００１９】
第２に、フレキシブルプリント回路基板及び同軸ケーブルを利用して、組み立ての容易なノートパソコンを具現できる利点がある。
【００２０】
第３に、フレキシブルプリント回路基板の長さが最小化されるので、信号損失を最小化できることは勿論、原価を削減できる利点がある。
【００２１】
第４に、アンテナがディスプレイ部上部両側末端に配置されて、安定的に信号を受信できる利点がある。
【００２２】
第５に、ディスプレイ部の厚さを最小化できる利点がある。
【００２３】
第６に、第１の信号ラインと第２の信号ラインの間に発生し得る信号干渉を最小化できる利点がある。
【００２４】
第７に、信号損失を最小化できる利点がある。
【図面の簡単な説明】
【００２５】
【図１】一般的なノートブックを示した図面である。
【図２】図１のＡ−Ａ方向の断面図である。
【図３】本発明のノートパソコンに適用されるフレキシブルプリント回路基板の外観を示した図面である。
【図４】本発明のノートパソコンの一実施例を示した図面である。
【図５】（ａ）は、本発明に係るノートパソコンのディスプレイ拡張効果を示した図面である。（ｂ）は、本発明に係るノートパソコンのディスプレイ拡張効果を示した図面である。
【図６】（ａ）は、本発明のノートパソコンに適用されるフレキシブルプリント回路基板の他の外観を示した図面である。（ｂ）は、本発明に係るノートパソコンのディスプレイ拡張効果を示した図面である。
【図７】本発明の一要部であるフレキシブルプリント回路基板の第１実施例の断面図である。
【図８】本発明の一要部であるフレキシブルプリント回路基板の第２実施例の断面図である。
【図９】本発明の一要部であるフレキシブルプリント回路基板の第３実施例の断面図である。
【図１０】本発明の一要部であるフレキシブルプリント回路基板の第４実施例の断面図である。
【図１１】（ａ）及び（ｂ）は、本発明の一要部であるフレキシブルプリント回路基板のビアホールの相異なる実施例を示した図面である。
【図１２】（ａ）及び（ｂ）は、本発明の一要部であるフレキシブルプリント回路基板のグラウンドホールの相異なる実施例を示した図面である。
【図１３】（ａ）、（ｂ）、（ｃ）及び（ｄ）は、本発明の一要部であるフレキシブルプリント回路基板の第１実施例乃至第４実施例にグラウンドホールを形成した図面である。
【発明を実施するための形態】
【００２６】
本発明の目的、特定の長所及び新規な特徴は、添付された図面と関連される以下の詳細な説明及び実施例からより明白になる。本明細書において、各図面の構成要素に参照番号を付加するにあたって、同一構成要素に限っては、たとえ異なる図面上に示されても可能な限り同一番号を有するようにするということを留意すべきである。なお、第１、第２等の用語は、多様な構成要素を説明するのに使用されることができるが、前記構成要素は、前記用語により限定されるべきではない。前記用語は、一つの構成要素を他の構成要素から区別する目的のみに使用される。なお、本発明を説明するにあたって、関連された公知技術に対する具体的な説明が本発明の要旨を不必要に不明確化し得ると判断される場合、その詳細な説明は、省略する。
【００２７】
以下、添付された図面を参照しながら本発明の実施例を詳細に説明することにする。
【００２８】
図３乃至図５に図示されたように、本発明のノートパソコンは、本体部１００と、ディスプレイ部２００とを含む。
【００２９】
本体部１００は、メインボードＭと、一端がメインボードＭに連結された同軸ケーブル１１０とを含み、ディスプレイ部２００は、フレキシブルプリント回路基板２１０を含む。この時、フレキシブルプリント回路基板２１０は、ディスプレイ部２００の背面に設置され、その一端は、同軸ケーブル１１０の他端と結合される。
【００３０】
本体部１００と、ディスプレイ部２００は、ヒンジ結合されることが好ましい。この時、ディスプレイ部２００は、ディスプレイ２２０と、下部ベゼル２４０と、上部ベゼル２３０とを含むことができる。
【００３１】
下部ベゼル２４０は、ディスプレイ２２０下部に位置し、このような下部ベゼル２４０で、同軸ケーブル１１０及びフレキシブルプリント回路基板２１０の一端が結合される。
【００３２】
上部ベゼル２３０は、ディスプレイ２２０上部に位置し、このような上部ベゼル２３０で、フレキシブルプリント回路基板２１０の他端及びアンテナ２１２、２１４が連結される。
【００３３】
このように、本発明のノートパソコンは、同軸ケーブル１１０ではないフレキシブルプリント回路基板２１０がディスプレイ部２００の背面に配置される。これにより、本発明のノートパソコンは、ディスプレイ部２００の側面に位置するベゼル領域を最小化し、ディスプレイ２２０領域に拡張できる利点がある。
【００３４】
即ち、フレキシブルプリント回路基板２１０は、同軸ケーブル１１０と違って、固定物が不要で、その厚さを最小化でき、ディスプレイ２２０の背面に設置可能であるため、より広いディスプレイ２２０の具現化は勿論、より薄い厚さのノートパソコンの具現化が可能である。
【００３５】
なお、メインボードＭと、アンテナ２１２、２１４の連結は、同軸ケーブル１１０又はフレキシブルプリント回路基板２１０のうち一つを媒介として連結するのが一般的であるが、本発明に係るノートパソコンは、フレキシブルプリント回路基板２１０及び同軸ケーブル１１０を同時に適用することによって、ヒンジ等の狭小な空間において組み立てが容易であり、フレキシブルプリント回路基板２１０の長さを最小化して信号損失を減少でき、原価を削減できる。
【００３６】
一方、本体部１００に位置する同軸ケーブル１１０と、ディスプレイ２２０の背面に位置するフレキシブルプリント回路基板２１０は、コネクタＣ又ははんだから選択されるいずれか一つで連結される。この時、フレキシブルプリント回路基板２１０は、「Ｔ」字形状に形成することが可能であり、両末端には、第１のアンテナ２１２及び第２のアンテナ２１４が連結されることが可能である。
【００３７】
このようなフレキシブルプリント回路基板２１０は、一対がディスプレイ部２００の背面に設置され、且つ第１のアンテナ２１２及び第２のアンテナ２１４も、それぞれ一対ずつ備えられる。特に、一対の第１のアンテナ２１２は、Ｗｉ―Ｆｉ等の近距離通信信号を送受信し、一対の第２のアンテナ２１４は、３Ｇ、４Ｇ等の無線移動通信信号を送受信することが好ましい。
【００３８】
この時、一対の第１のアンテナ２１２は、上部ベゼル２３０の両末端にそれぞれ設置され、一対の第２のアンテナ２１４は、それぞれ相互に一定間隔離隔されて上述した一対の第１のアンテナ２１２の間に設置されることが可能である。この場合、本発明に係るノートパソコンは、第１のアンテナ２１２と第２のアンテナ２１４の間に発生し得る信号干渉が最小化されて、安定的に信号を受信できる。
【００３９】
なお、第１のアンテナ２１２と第２のアンテナ２１４の信号干渉を最小化するために、フレキシブルプリント回路基板２１０の両末端の長さのうち、第１のアンテナ２１２が連結される末端の長さは、第２のアンテナ２１４と連結される末端の長さより長いことが好ましい。
【００４０】
図６の（ａ）及び（ｂ）に図示されたように、本発明のノートパソコンのフレキシブルプリント回路基板は、その末端で左右方向に延伸形成された第１のアンテナ２１２及び第２のアンテナ２１４を更に含むことができる。これは、フレキシブルプリント回路基板２１０末端に、第１のアンテナ２１２及び第２のアンテナ２１４が一体化されたものであり、これによって、上述した上部ベゼル２３０領域を最小化でき、全体的にディスプレイ２２０の面積が広くなる利点がある。
【００４１】
この時、第１のアンテナ２１２と第２のアンテナ２１４の信号干渉を最小化するために、フレキシブルプリント回路基板２１０を「Γ」形状に形成して、第２のアンテナ２１４が延伸形成された位置を、第１のアンテナ２１２が延伸形成された位置よりもフレキシブルプリント回路基板２１０の垂直方向中心からより遠く配置させることが好ましい。
【００４２】
以下では、本発明のノートパソコンに適用されるフレキシブルプリント回路基板の構成について具体的に説明する。以下で説明されるフレキシブルプリント回路基板は、ノートパソコンの厚さを最小化するためである。
【００４３】
図７は、本発明の一要部であるフレキシブルプリント回路基板の第１実施例の断面図を示したものである。
【００４４】
図７に図示されたように、本発明の一要部であるフレキシブルプリント回路基板は、第１の基板部１０と、第２の基板部２０と、遮蔽部３０とを含む。
【００４５】
第１の基板部１０及び第２の基板部２０は、遮蔽部３０を介して同一平面上に配置される。これにより、第１の基板部１０に形成された第１の信号ラインＴ１と、第２の基板部２０に形成された第２の信号ラインＴ２とは、相互に平行に配置される。
【００４６】
このように、第１の基板部１０及び第２の基板部２０が同一平面上に配置されるので、本発明の一要部であるフレキシブルプリント回路基板は、薄い厚さに具現されることができ、第１の信号ラインＴ１及び第２の信号ラインＴ２が遮蔽部３０を介して位置するので、相互信号干渉による信号損失を最小化できる。
【００４７】
本発明の一要部であるフレキシブルプリント回路基板は、第１の誘電体層Ｅ１、第２の誘電体層Ｅ２、一対の第１の側面グラウンドＳ１、一対の第２の側面グラウンドＳ２、第１の中心グラウンドＣ１及び第２の中心グラウンドＣ２を含むことができる。
【００４８】
第１の誘電体層Ｅ１及び第２の誘電体層Ｅ２は、相互に上下方向に一定間隔離隔されて平行に位置し、互いに対応される形状に形成される。
【００４９】
第１の誘電体層Ｅ１の底面には、一対の第１の側面グラウンドＳ１が相互に一定間隔離隔されて積層され、第２の誘電体層Ｅ２の平面には、一対の第２の側面グラウンドＳ２が相互に一定間隔離隔されて積層される。
【００５０】
第１の誘電体層Ｅ１の底面と第２の誘電体層Ｅ２の平面とは、互いに対向し、一対の第１の側面グラウンドＳ１の底面と一対の第２の側面グラウンドＳ２の平面もまた互いに対向し且つ上下方向に相互に一定間隔離隔されて位置する。
【００５１】
第１の中心グラウンドＣ１は、第１の誘電体層Ｅ１の底面に積層され、且つ一対の第１の側面グラウンドＳ１の間に位置し、第２の中心グラウンドＣ２は、第２の誘電体層Ｅ２の平面に積層され、且つ一対の第２の側面グラウンドＳ２の間に位置する。このような第１の中心グラウンドＣ１及び第２の中心グラウンドＣ２は、互いに対応される形状に形成され、上下方向に一定間隔離隔されて相互に平行に位置する。
【００５２】
上述したように、第１の信号ラインＴ１が形成された第１の基板部１０と、第２の信号ラインＴ２が形成された第２の基板部２０は、遮蔽部３０を介して同一平面上に位置する。このとき、第１の中心グラウンドＣ１及び第２の中心グラウンドＣ２が位置する領域を基準として一側領域を第１の基板部１０、他側領域を第２の基板部２０とそれぞれ定義することが可能である。なお、第１の中心グラウンドＣ１及び第２の中心グラウンドＣ２が位置する領域を遮蔽部３０と定義することが可能である。
【００５３】
このとき、第１の中心グラウンドＣ１及び第２の中心グラウンドＣ２は、遮蔽部３０領域は勿論、第１の基板部１０及び第２の基板部２０領域まで延伸形成されることができる。
【００５４】
第１の信号ラインＴ１及び第２の信号ラインＴ２は、上述した第１の中心グラウンドＣ１及び第２の中心グラウンドＣ２を介して位置し、第１の信号ラインＴ１と第２の信号ラインＴ２の間に発生し得る信号干渉を防止できる利点がある。
【００５５】
一方、図７で、第１の信号ラインＴ１が第２の誘電体層Ｅ２の平面に形成され、第２の信号ラインＴ２が第１の誘電体層Ｅ１の底面に形成されることとして図示されたが、第１の信号ラインＴ１及び第２の信号ラインＴ２の配置構造を、設計者の意図に従って多様に変更することができる。
【００５６】
第１の誘電体層Ｅ１の底面及び第２の誘電体層Ｅ２の平面、第１の中心グラウンドＣ１及び第２の中心グラウンドＣ２の互いに対向する面、第１の側面グラウンドＳ１及び第２の側面グラウンドＳ２の互いに対向する面、第１の信号ラインＴ１と第１の誘電体層Ｅ１とが互いに対向する面、第２の信号ラインＴ２と第２の誘電体層Ｅ２とが互いに対向する面は、結合部Ｐを媒介として相互に結合される。
【００５７】
結合部Ｐは、高温のプレス結合時に変形された誘電体層や、ボンディングシート等の多様な接着媒介物であってもよく、このような結合部Ｐの構成を、設計者の意図に従って多様に変形して応用することができる。
【００５８】
図８に図示されたように、本発明の一要部であるフレキシブルプリント回路基板の第２実施例は、結合部Ｐの設置領域以外は、上述した第１実施例と同じである。
【００５９】
第２実施例を説明するにあたって、結合部Ｐを除いた他の構成要素に対する説明は、上述した第１実施例に対する説明で代替し、以下では、第１実施例と相異なる結合部Ｐの設置領域を中心として説明する。
【００６０】
結合部Ｐは、第１の信号ラインＴ１及び第２の信号ラインＴ２が空気層に露出できるように設置される。即ち、第１の側面グラウンドＳ１及び第２の側面グラウンドＳ２が対向する領域、第１の中心グラウンドＣ１及び第２の中心グラウンドＣ２が対向する領域のみが結合部Ｐを媒介として結合される。
【００６１】
第１の誘電体層Ｅ１及び第２の誘電体層Ｅ２が互いに対向する面の間には、空気層が形成されて、第１の信号ラインＴ１及び第２の信号ラインＴ２が誘電率の低い空気層に露出され、キャパシタンスが低くなって信号損失を最小化できる。
【００６２】
一方、本発明の一要部であるフレキシブルプリント回路基板は、上述した第１実施例及び第２実施例のように、２層誘電体層構造を適用することができるが、後述する第３実施例及び第４実施例のように、３層誘電体層構造を適用してもよい。
【００６３】
フレキシブルプリント回路基板の第３実施例及び第４実施例もまた第１の基板部１０及び第２の基板部２０が遮蔽部３０を介して同一平面上に位置するものであり、以下では、その具体的な構成に対して説明することにする。
【００６４】
図９に図示されたように、本発明の一要部であるフレキシブルプリント回路基板の第３実施例は、第１の誘電体層Ｅ１、第２の誘電体層Ｅ２、第３の誘電体層Ｅ３、一対の第１の側面グラウンドＳ１、一対の第２の側面グラウンドＳ２、第１の中心グラウンドＣ１及び第２の中心グラウンドＣ２を含む。
【００６５】
第１の誘電体層Ｅ１を中心として上方に一定間隔離隔されて第２の誘電体層Ｅ２が位置し、下方に一定間隔離隔されて第３の誘電体層Ｅ３が位置し、第１の誘電体層Ｅ１、第２の誘電体層Ｅ２及び第３の誘電体層Ｅ３は、それぞれ相互に平行に互いに対応される形状に形成される。
【００６６】
なお、第１の誘電体層Ｅ１の平面には、一対の第１の側面グラウンドＳ１が相互に一定間隔離隔されて積層され、第１の誘電体層Ｅ１の底面には、一対の第２の側面グラウンドＳ２が相互に一定間隔離隔されて積層される。
【００６７】
第１の側面グラウンドＳ１及び第２の側面グラウンドＳ２は、同一形状及び同一面積に形成されることが可能であり、これを、設計者の意図に従って多様に変形して使用することができる。
【００６８】
第１の中心グラウンドＣ１は、上述した一対の第１の側面グラウンドＳ１の間に位置し、且つ第１の誘電体層Ｅ１の平面に積層され、第２の中心グラウンドＣ２は、上述した一対の第２の側面グラウンドＳ２の間に位置し、且つ第１の誘電体層Ｅ１の底面に積層される。
【００６９】
第１実施例及び第２実施例で説明したように、第３実施例において、第１の中心グラウンドＣ１及び第２の中心グラウンドＣ２が位置する領域を基準として一側領域を第１の基板部１０、他側領域を第２の基板部２０とそれぞれ定義することが可能である。なお、第１の中心グラウンドＣ１及び第２の中心グラウンドＣ２が位置する領域を遮蔽部３０と定義することが可能である。
【００７０】
このとき、第１の中心グラウンドＣ１及び第２の中心グラウンドＣ２を、遮蔽部３０領域は勿論、第１の基板部１０及び第２の基板部２０領域まで延伸形成することができる。
【００７１】
第１の信号ラインＴ１は、第１の誘電体層Ｅ１の一側に位置する第２の側面グラウンドＳ２と第２の中心グラウンドＣ２の間に位置し、第２の信号ラインＴ２は、第１の誘電体層Ｅ１他側に位置する第１の側面グラウンドＳ１と第１の中心グラウンドＣ１の間に位置する。即ち、第１の信号ラインＴ１と第２の信号ラインＴ２の間に発生し得る信号干渉は、第１の中心グラウンドＣ１及び第２の中心グラウンドＣ２により防止されることができる。
【００７２】
なお、３層誘電体層構造を有する場合、フレキシブルプリント回路基板は、その上、下に位置する他部品により発生し得る信号干渉を遮蔽できる。
【００７３】
一方、本発明の一要部であるフレキシブルプリント回路基板の第３実施例によれば、第１の誘電体層Ｅ１と第２の誘電体層Ｅ２とが対向する面、第１の中心グラウンドＣ１と第２の誘電体層Ｅ２とが対向する面、第１の側面グラウンドＳ１と第２の誘電体層Ｅ２とが対向する面、第２の信号ラインＴ２と第２の誘電体層Ｅ２とが対向する面は、それぞれ第１の結合部Ｐ１を媒介として結合される。なお、第１の誘電体層Ｅ１と第３の誘電体層Ｅ３とが対向する面、第２の中心グラウンドＣ２と第３の誘電体層Ｅ３とが対向する面、第２の側面グラウンドＳ２と第３の誘電体層Ｅ３とが対向する面、第１の信号ラインＴ１と第３の誘電体層Ｅ３とが対向する面は、それぞれ第２の結合部Ｐ２を媒介として結合される。
【００７４】
第１の結合部Ｐ１及び第２の結合部Ｐ２は、高温のプレスで結合時に変形された誘電体層や、ボンディングシート等の多様な接着媒介物であってもよく、このような第１の結合部Ｐ１及び第２の結合部Ｐ２の構成を、設計者の意図に従って多様に変形して適用することができる。
【００７５】
図１０に図示されたように、本発明の一要部であるフレキシブルプリント回路基板の第４実施例は、第１の結合部Ｐ１及び第２の結合部Ｐ２の設置領域以外は、上述した第３実施例と同じである。
【００７６】
第４実施例を説明するにあたって、第１の結合部Ｐ１及び第２の結合部Ｐ２を除いた他の構成要素に対する説明は、上述した第３実施例に対する説明で代替し、以下では、第３実施例と相異なる第１の結合部Ｐ１及び第２の結合部Ｐ２の設置領域を中心として説明する。
【００７７】
本発明の一要部であるフレキシブルプリント回路基板の第４実施例によれば、遮蔽部３０を中心として、第１の基板部１０は、遮蔽部３０の一側に位置し、第２の基板部２０は、遮蔽部３０の他側に位置し、遮蔽部３０領域の第１の中心グラウンドＣ１と第２の基板部２０領域の第１の側面グラウンドＳ１の間には、第２の信号ラインＴ２が位置し、第１の基板部１０領域の第２の側面グラウンドＳ２と遮蔽部３０領域の第２の中心グラウンドＣ２の間には、第１の信号ラインＴ１が位置する。
【００７８】
第１の結合部Ｐ１は、第１の誘電体層Ｅ１と第２の誘電体層Ｅ２の間に位置して、第１、２の誘電体層Ｅ１、Ｅ２を結合させ、第２の結合部Ｐ２は、第１の誘電体層Ｅ１と第３の誘電体層Ｅ３の間に位置して、第１、３の誘電体層Ｅ１、Ｅ３を結合させる。
【００７９】
この時、第１の信号ラインＴ１が空気層に露出できるように、第２の結合部Ｐ２は、第１の基板部１０の第１の信号ラインＴ１が設置された領域で除去される。なお、第２の信号ラインＴ２が空気層に露出できるように、第１の結合部Ｐ１は、第２の基板部２０の第２の信号ラインＴ２が設置された領域で除去される。
【００８０】
これをより詳細に説明すると、第１の基板部１０領域で、第１の側面グラウンドＳ１と第２の誘電体層Ｅ２、第１の誘電体層Ｅ１と第２の誘電体層Ｅ２、第１の中心グラウンドＣ１と第２の誘電体層Ｅ２は、第１の結合部Ｐ１を媒介として結合され、遮蔽部３０領域で、第１の中心グラウンドＣ１と第２の誘電体層Ｅ２もまた第１の結合部Ｐ１を媒介として結合される。この時、第２の基板部２０領域では、第１の中心グラウンドＣ１と第２の誘電体層Ｅ２、第１の側面グラウンドＳ１と第２の誘電体層Ｅ２のみが第１の結合部Ｐ１を媒介として結合されて、第２の信号ラインＴ２が空気層に露出される。
【００８１】
なお、第２の基板部２０領域で、第２の側面グラウンドＳ２と第３の誘電体層Ｅ３、第１の誘電体層Ｅ１と第３の誘電体層Ｅ３、第２の中心グラウンドＣ２と第３の誘電体層Ｅ３は、第２の結合部Ｐ２を媒介として結合され、遮蔽部３０領域で、第２の中心グラウンドＣ２と第３の誘電体層Ｅ３もまた第２の結合部Ｐ２を媒介として結合される。この時、第１の基板部１０領域では、第２の中心グラウンドＣ２と第３の誘電体層Ｅ３、第２の側面グラウンドＳ２と第３の誘電体層Ｅ３のみが第２の結合部Ｐ２を媒介として結合されて、第１の信号ラインＴ１が空気層に露出される。
【００８２】
このように、第１の信号ラインＴ１及び第２の信号ラインＴ２が誘電率の低い空気層に露出され、フレキシブルプリント回路基板は、キャパシタンスが低くなって、信号損失を最小化できる。
【００８３】
一方、図７乃至図１０に図示されたように、本発明の一要部であるフレキシブルプリント回路基板は、複数個のビアホールＶ１、Ｖ２、Ｖ３、Ｖ４が形成されることが可能である。
【００８４】
図７及び図８に図示されたように、２層誘電体層構造のフレキシブルプリント回路基板では、第１の誘電体層Ｅ１の平面に第１のグラウンド層Ｇ１が積層され、第２の誘電体層Ｅ２の底面に第２のグラウンド層Ｇ２が積層される。これにより、遮蔽部３０を中心として一側に位置する第１の基板部１０領域には、垂直方向に第１のビアホールＶ１が貫通形成され、遮蔽部３０を中心として他側に位置する第２の基板部２０領域では、垂直方向に第２のビアホールＶ２が貫通形成される。
【００８５】
なお、遮蔽部３０には、遮蔽部３０を垂直方向に貫通し、且つ幅方向に一定間隔離隔されて形成された第３のビアホールＶ３及び第４のビアホールＶ４が形成される。
【００８６】
第１のビアホールＶ１及び第２のビアホールＶ２は、第１のグラウンド層Ｇ１、第１の誘電体層Ｅ１、第１の側面グラウンドＳ１、結合部Ｐ、第２の側面グラウンドＳ２、第２のグラウンド層Ｇ２を貫通することによって、第１の側面グラウンドＳ１、第２の側面グラウンドＳ２、第１のグラウンド層Ｇ１及び第２のグラウンド層Ｇ２を導通させる。
【００８７】
第３のビアホールＶ３及び第４のビアホールＶ４は、第１のグラウンド層Ｇ１、第１の誘電体層Ｅ１、第１の中心グラウンドＣ１、結合部Ｐ、第２の中心グラウンドＣ２、第２の誘電体層Ｅ２、第２のグラウンド層Ｇ２を貫通することによって、第１の中心グラウンドＣ１、第２の中心グラウンドＣ２、第１のグラウンド層Ｇ１及び第２のグラウンド層Ｇ２を導通させる。
【００８８】
図９及び図１０に図示されたように、３層誘電体層構造のフレキシブルプリント回路基板にも、第１のビアホールＶ１、第２のビアホールＶ２、第３のビアホールＶ３及び第４のビアホールＶ４が形成されることが可能である。この時、上述したように、第１のビアホールＶ１は、第１の基板部１０領域、第２のビアホールＶ２は、第２の基板部２０領域、第３のビアホールＶ３及び第４のビアホールＶ４は、遮蔽部３０領域に形成されることが可能である。
【００８９】
第１のビアホールＶ１及び第２のビアホールＶ２は、第１のグラウンド層Ｇ１、第２の誘電体層Ｅ２、第１の結合部Ｐ１、第１の側面グラウンドＳ１、第１の誘電体層Ｅ１、第２の側面グラウンドＳ２、第２の結合部Ｐ２、第３の誘電体層Ｅ３、第２のグラウンド層Ｇ２を貫通することによって、第１の側面グラウンドＳ１、第２の側面グラウンドＳ２、第１のグラウンド層Ｇ１及び第２のグラウンド層Ｇ２を導通させる。
【００９０】
第３のビアホールＶ３及び第４のビアホールＶ４は、第１のグラウンド層Ｇ１、第２の誘電体層Ｅ２、第１の結合部Ｐ１、第１の中心グラウンドＣ１、第１の誘電体層Ｅ１、第２の中心グラウンドＣ２、第２の結合部Ｐ２、第３の誘電体層Ｅ３、第２のグラウンド層Ｇ２を貫通することによって、第１の中心グラウンドＣ１、第２の中心グラウンドＣ２、第１のグラウンド層Ｇ１及び第２のグラウンド層Ｇ２を導通させる。
【００９１】
一方、図１１の（ａ）に図示されたように、第１のビアホールＶ１、第２のビアホールＶ２、第３のビアホールＶ３及び第４のビアホールＶ４は、フレキシブルプリント回路基板の幅方向に同一ライン上に位置することが可能である。なお、図１１の（ｂ）に図示されたように、第１のビアホールＶ１及び第３のビアホールＶ３は、幅方向に同一な第１のラインＬ１上に位置し、第２のビアホールＶ２及び第４のビアホールＶ４は、幅方向に同一な第２のラインＬ２上に位置し、且つ第１のラインＬ１及び第２のラインＬ２は、互いに入れ違いに形成されることが可能である。
【００９２】
このように、複数個のビアホールＶ１、Ｖ２、Ｖ３、Ｖ４を形成する場合、第１の中心グラウンドＣ１及び第２の中心グラウンドＣ２の遮蔽効果を改善できる。これにより、複数個のビアホールＶ１、Ｖ２、Ｖ３、Ｖ４を交差形成する場合、フレキシブルプリント回路基板は、遮蔽部３０に位置する第３のビアホールＶ３と第４のビアホールＶ４の間の間隔を狭めることができるため、遮蔽効果を極大化できる利点がある。
【００９３】
一方、図１２の（ａ）に図示されたように、第１の信号ラインＴ１及び第２の信号ラインＴ２が相異なる層に形成されたレキシブルプリント回路基板で、上下方向に第１の信号ラインＴ１及び第２の信号ラインＴ２に近接した位置に存在する第１のグラウンド層Ｇ１又は第２のグラウンド層Ｇ２には、四角形状のグラウンドホールＨが形成されることが好ましい。
【００９４】
図１２の（ｂ）に図示されたように、第１の信号ラインＴ１又は第２の信号ラインＴ２に近接した位置に存在する第１のグラウンド層Ｇ１又は第２のグラウンド層Ｇ２には、四角形状のグラウンドホールＨを形成し、相対的に遠距離にある第１のグラウンド層Ｇ１又は第２のグラウンド層Ｇ２には、円形のグラウンドホールＨを形成することが好ましい。この場合、フレキシブルプリント回路基板は、第１の信号ラインＴ１及び第２の信号ラインＴ２の面積が増加して、信号損失を最小化できる。
【００９５】
図１３の（ａ）乃至図１３の（ｄ）は、本発明の一要部であるフレキシブルプリント回路基板の第１実施例乃至第４実施例にグラウンドホールＨを形成した図面である。
【００９６】
図１３の（ａ）及び図１３の（ｂ）に図示されたように、本発明の一要部であるフレキシブルプリント回路基板の第１実施例及び第２実施例にグラウンドホールＨを形成する場合、第１の基板部１０領域で、第１の信号ラインＴ１と近距離に位置する第２のグラウンド層Ｇ２には、四角形状のグラウンドホールＨが形成され、第１の信号ラインＴ１と遠距離に位置する第１のグラウンド層Ｇ１には、円形状のグラウンドホールＨが形成され、第２の基板部２０領域で、第２の信号ラインＴ２と近距離に位置する第１のグラウンド層Ｇ１には、四角形状のグラウンドホールＨが形成され、第２の信号ラインＴ２と遠距離に位置する第２のグラウンド層Ｇ２には、円形状のグラウンドホールＨが形成される。
【００９７】
図１３の（ｃ）及び図１３の（ｄ）に図示されたように、本発明の一要部であるフレキシブルプリント回路基板の第３実施例及び第４実施例にグラウンドホールＨを形成する場合、第１の基板部１０領域で、第１の信号ラインＴ１と近距離に位置する第２のグラウンド層Ｇ２には、四角形状のグラウンドホールＨが形成され、第１の信号ラインＴ１と遠距離に位置する第１のグラウンド層Ｇ１には、円形状のグラウンドホールＨが形成され、第２の基板部２０領域で、第２の信号ラインＴ２と近距離に位置する第１のグラウンド層Ｇ１には、四角形状のグラウンドホールＨが形成され、第２の信号ラインＴ２と遠距離に位置する第２のグラウンド層Ｇ２には、円形状のグラウンドホールＨが形成される。
【００９８】
以上、本発明を具体的な実施例を通じて詳細に説明したが、これは、本発明を具体的に説明するためのものであり、本発明に係るノートパソコンを限定するものではなく、本発明の技術的思想内で当該分野における通常の知識を有する者によりその変形又は改良を行うことが可能であることは明白である。
【００９９】
本発明の単純な変形乃至変更は、いずれも本発明の領域に属するものであり、本発明の具体的な保護範囲は、添付された特許請求範囲により明らかになる。
【０１００】
本発明は、本体部に同軸ケーブルを適用し、ディスプレイ部背面にフレキシブルプリント回路基板を適用してディスプレイ面積拡大及び薄い厚さを実現したノートパソコンを提供するものである。本発明は、特に、複数個の信号ラインが並んで平面配列されて薄い厚さを実現しながらも、信号干渉及び信号損失を最小化したフレキシブルプリント回路基板が適用されたノートパソコンを提供するものであり、産業上利用可能性がある。
【符号の説明】
【０１０１】
１００  本体部
１１０  同軸ケーブル
２００  ディスプレイ部
２１０  フレキシブルプリント回路基板
２１２  第１のアンテナ
２１４  第２のアンテナ
２２０  ディスプレイ
２３０  上部ベゼル
２４０  下部ベゼル
１０  第１の基板部
２０  第２の基板部
３０  遮蔽部
Ｅ１  第１の誘電体層
Ｅ２  第２の誘電体層
Ｅ３  第３の誘電体層
Ｇ１  第１のグラウンド層
Ｇ２  第２のグラウンド層
Ｓ１  第１の側面グラウンド
Ｓ２  第２の側面グラウンド
Ｃ１  第１の中心グラウンド
Ｃ２  第２の中心グラウンド
Ｔ１  第１の信号ライン
Ｔ２  第２の信号ライン
Ｐ  結合部
Ｐ１  第１の結合部
Ｐ２  第２の結合部
Ｖ１  第１のビアホール
Ｖ２  第２のビアホール
Ｖ３  第３のビアホール
Ｖ４  第４のビアホール
Ｌ１  第１のライン
Ｌ２  第２のライン
Ｈ  グラウンドホール
Ｃ  コネクタ
Ｍ  メインボード
【国際調査報告】
2019512132.tif 000016
2019512132.tif 000017
2019512132.tif 000018
2019512132.tif 000019